(57)【特許請求の範囲】
【請求項１】
胴部の両端に一対の鍔部を設けてドラム体を構成し、胴部に巻装されるケーブルの巻き始め始端をドラム体の内部から外部に引き出すためのケーブル引き出し孔を鍔部に形成したケーブル巻きドラムにおいて、胴部よりもやや外側の鍔部の外面部の周方向の一部に、周囲を胴部に沿った内周リブと、内周リブに対して隙間を介して外側に位置する外周リブと、内周リブの両端部と外周リブの両端部とをそれぞれ一体に連続する両側リブとにより囲まれたケーブル引き出し用凹部を設け、該ケーブル引き出し用凹部の周方向の一端部の内周リブ側に片寄った位置にケーブル引き出し孔を開口し、ケーブル引き出し用凹部の周方向の一端部のケーブル引き出し孔の内周リブと反対側の縁部に沿って中リブを形成し、該中リブの一端部を両側リブのうちケーブル引き出し孔に近い方の側リブに一体に連続させると共に中リブの他端部を外周リブに一体に連続させ、中リブのケーブル引き出し孔に沿った部分と外周リブに連続する部分とのなすコーナ部分を傾斜面又は弧状面となったガイド部とし、ケーブル引き出し用凹部の中リブの無い部分の鍔部の径方向における巾を中リブを設けた部分における中リブと内周リブとの鍔部の径方向における巾よりも広くし、両側リブのうちケーブル引き出し孔が位置する側と反対側の側リブに切欠部を設け、この切欠部を設けた側リブのケーブル引き出し孔が位置する側と反対側の側面にケーブル取付け部を一体に設け、該側リブのケーブル引き出し孔が位置する側の側面に補強リブを一体に設けて成ることを特徴とするケーブル巻きドラム。
【請求項２】
ケーブル引き出し用凹部の底部に外周リブ、内周リブ、側リブよりも高さの低い縦横の底リブを設けて成ることを特徴とする請求項１記載のケーブル巻きドラム。
【発明の詳細な説明】
【０００１】
【発明の属する技術分野】
本発明は、ケーブル巻きドラムに関し、詳しくは胴部に巻装されるケーブルの巻き始め始端をドラム体の外部に引き出す部分の構造に関するものである。
【０００２】
【従来の技術】
出願人は、胴部の両端に一対の鍔部を設けてドラム体を構成し、このドラム体の鍔部に、胴部に巻装されるケーブルの巻き始め始端をドラム体の外部に引き出すためのケーブル引き出し孔を設けたケーブル巻きドラムの研究開発をおこなっている。
【０００３】
開発の初期においては、図１０に示すように、胴部１よりもやや外側の鍔部２の外面部の周方向の一部に、周囲を胴部１に沿った内周リブ６と、内周リブ６に対して隙間を介して外側に位置する外周リブ７と、内周リブ６の両端部と外周リブ７の両端部とをそれぞれ一体に連続する両側リブ８とにより囲まれたケーブル引き出し用凹部９を設け、該ケーブル引き出し用凹部９の周方向の一端部にケーブル引き出し孔５を形成するものを考えた。図１０に示すものの場合、鍔部２の径方向におけるケーブル引き出し用凹部９の巾とケーブル引き出し孔５の巾とが同じであった。このものにおいては、ケーブル引き出し用凹部９の鍔部２の径方向における巾が狭いため、ケーブル引き出し用凹部９内においてケーブルを引き出し難く、ケーブル引き出し用凹部９の外周リブ７にケーブルが擦れながら引き出されることになり、ケーブルの被覆層を損傷してしまうという問題がある。ここで、ケーブル引き出し孔５の鍔部２の径方向における巾を大きくするとケーブル引き出し用凹部９の鍔部２の径方向における巾も大きくできるが、これだとケーブル引き出し孔５が必要以上に大きくなりすぎて鍔部２の強度が低下してしまうという問題がある。
【０００４】
そこで、次に、図１１に示すように、胴部１よりもやや外側の鍔部２の外面部の周方向の一部に、周囲を胴部１に沿った内周リブ６と、内周リブ６に対して隙間を介して外側に位置する外周リブ７と、内周リブ６の両端部と外周リブ７の両端部とをそれぞれ一体に連続する両側リブ８とにより囲まれたケーブル引き出し用凹部９を設け、該ケーブル引き出し用凹部９の周方向の一端部の内周リブ６側に片寄った位置にケーブル引き出し孔５を開口し、これによりケーブル引き出し用凹部９のケーブル引き出し孔５が無い部分の鍔部２の径方向における巾をケーブル引き出し孔５の鍔部２の径方向における巾よりも大きくすることを考えた。
【０００５】
これだと、ケーブル引き出し孔５の巾を必要以上に大きくすることなく、ケーブル引き出し用凹部９の鍔部２の径方向における巾をできるだけ大きく取ることができ、ケーブル引き出し用凹部９における引き出しを容易にすることができる。しかしながら、このものにおいては、鍔部２に矢印イ方向の外力が作用すると、ケーブル引き出し孔５の周囲の部分に力が作用して破損し易いという問題がある。特に、ケーブル巻きドラムが大型になればなるほど鍔部２が地面に落下した際等における衝撃が大きくなって上記矢印イ方向の外力がより大きくなり、ケーブル引き出し孔５の周囲部分における破損の問題が生じる。またケーブルをケーブル引き出し孔５から引き出す際にケーブル引き出し孔５の内周リブ６と反対側の縁部のエッジ部分にケーブルが擦れてケーブルの被覆層が損傷し易いという問題がある。
【０００６】
【発明が解決しようとする課題】
本発明は上記の点に鑑みてなされたものであり、ケーブルの巻始め始端をケーブル引き出し孔からケーブル引き出し用凹部に引き出すに当たって、引き出しが容易で且つケーブルの被覆が損傷せず、また、鍔部に外力が作用してもケーブル引き出し孔の縁部部分において破損しないケーブル巻きドラムを提供することを課題とするものである。
【０００７】
【課題を解決するための手段】
上記課題を解決するために本発明に係るケーブル巻きドラムは、胴部１の両端に一対の鍔部２を設けてドラム体３を構成し、胴部１に巻装されるケーブル４の巻き始め始端をドラム体３の内部から外部に引き出すためのケーブル引き出し孔５を鍔部２に形成したケーブル巻きドラムＡにおいて、胴部１よりもやや外側の鍔部２の外面部の周方向の一部に、周囲を胴部１に沿った内周リブ６と、内周リブ６に対して隙間を介して外側に位置する外周リブ７と、内周リブ６の両端部と外周リブ７の両端部とをそれぞれ一体に連続する両側リブ８とにより囲まれたケーブル引き出し用凹部９を設け、該ケーブル引き出し用凹部９の周方向の一端部の内周リブ６側に片寄った位置にケーブル引き出し孔５を開口し、ケーブル引き出し用凹部９の周方向の一端部のケーブル引き出し孔５の内周リブ６と反対側の縁部に沿って中リブ１０を形成し、該中リブ１０の一端部を両側リブ８のうちケーブル引き出し孔４に近い方の側リブ８に一体に連続させると共に中リブ１０の他端部を外周リブ７に一体に連続させ、中リブ１０のケーブル引き出し孔５に沿った部分と外周リブ７に連続する部分とのなすコーナ部分を傾斜面又は弧状面となったガイド部１１とし、ケーブル引き出し用凹部９の中リブ１０の無い部分の鍔部２の径方向における巾を中リブ１０を設けた部分における中リブ１０と内周リブ６との鍔部２の径方向における巾よりも広くし、両側リブ８のうちケーブル引き出し孔５が位置する側と反対側の側リブ８に切欠部１９を設け、この切欠部１９を設けた側リブ８のケーブル引き出し孔５が位置する側と反対側の側面にケーブル取付け部１２を一体に設け、該側リブ８のケーブル引き出し孔５が位置する側の側面に補強リブ８を一体に設けて成ることを特徴とするものである。
【０００８】
このような構成とすることで、ケーブル引き出し孔５からケーブル４を引き出すためのケーブル引き出し用凹部９の周囲を内周リブ６と、外周リブ７と、内周リブ６の両端部と外周リブ７の両端部とをそれぞれ一体に連続する両側リブ８とにより囲むことでケーブル引き出し用凹部９の強度を確保することができるのはもちろん、このケーブル引き出し用凹部９に設けたケーブル引き出し孔５を中リブ１０により補強することができ、特に、中リブ１０が、一端部を両側リブ８のうちケーブル引き出し孔５に近い方の側リブ８に一体に連続させると共に中リブ１０の他端部を外周リブ７に一体に連続させてあるので、鍔部２の外周側端部から鍔部２の中心方向に向けて外力が作用した場合でも中リブ１０に力が伝わって中リブ１０部分が撓んで該力を吸収してケーブル引き出し孔５の縁部が損傷するのを防止することができるものである。また、ケーブル引き出し用凹部９の中リブ１０の無い部分の鍔部２の径方向における巾を中リブ１０を設けた部分における中リブ１０と内周リブ６との鍔部２の径方向における巾よりも広くしてあることで、ケーブル４の巻始め始端をケーブル引き出し孔５からケーブル引き出し用凹部９に引き出すに当たって、ケーブル引き出し孔５を必要以上に大きくしなくても容易に引き出すことができるものであり、また、中リブ１０のケーブル引き出し孔５に沿った部分と外周リブ７に連続する部分とのなすコーナ部分を傾斜面又は弧状面となったガイド部１１としてあるので、ケーブル４の引き出しがよりスムーズに行えると共にケーブル４の被覆が損傷することなく引き出すことができるものである。また、両側リブ８のうちケーブル引き出し孔５が位置する側と反対側の側リブ８に切欠部１９を設け、この切欠部１９を設けた側リブ８のケーブル引き出し孔５が位置する側と反対側の側面にケーブル取付け部１２を一体に設け、該側リブ８のケーブル引き出し孔５が位置する側の側面に補強リブ８を一体に設けてあるので、ケーブル引き出し用凹部９に引き出したケーブル４の始端をケーブル引き出し孔５が位置する側と反対側の側リブ８に設けたケーブル取付け部１２に取付けることができ、しかも、ケーブル４を側リブ８の切欠部１９を通すことで、ケーブル４が外に飛び出して他の物に当たって損傷するのを防止でき、更に、補強リブ１３で補強してあるので、ケーブル取付け部１２の強度を向上できてケーブル４の始端の取付けが強固にでき、ケーブル４の始端をケーブル取付け部１２に取付けた後に胴部１にケーブル４を巻き取る際にケーブル４に大きなテンションがかかってもケーブル取付け部１２が変形したり、破損したりしないものである。
また、ケーブル引き出し用凹部９の底部に外周リブ７、内周リブ６、側リブ８よりも高さの低い縦横の底リブ１８を設けることが好ましい。
このように構成することで、ケーブル引き出し用凹部９の補強ができる。
【００１１】
【発明の実施の形態】
以下、本発明を添付図面に示す実施形態に基づいて説明する。
【００１２】
ドラム体３は例えばＰＰ（ポリプロピレン）のような合成樹脂製であり、図１に示すように、略筒状の胴部１の両端に一対の鍔部２を設けて構成してある。これら胴部１と一対の鍔部２はそれぞれ射出成形などによって成形され、各成形品を組み立ててボルト２０により固定してある。
【００１３】
ドラム体３の両側に設けられる鍔部２は図５，図６に示されるようなもので、鍔部２の外面部には多数の補強用リブ１５が突設してあり、鍔部２にかかる荷重が補強用リブ１５により吸収されることにより鍔部２の割れを防止するようになっている。この補強用リブ１５としては、添付図面に示す実施形態においては、円板状をした鍔部２の外面部に半径の異なる複数の補強周リブ１６と、円板状をした鍔部２の中心点を中心とする放射状をした複数の放射状リブ１７とがあり、複数の補強周リブ１６と複数の放射状リブ１７とは交差一体化している。補強周リブ１６と放射状リブ１７とは同じ高さ（突出長）となっている。
【００１４】
鍔部２の外面部の胴部１よりもやや外側の鍔部２の外面部の周方向の一部にはケーブル引き出し用凹部９が設けてあり、このケーブル引き出し用凹部９は周囲を胴部１に沿った内周リブ６と、内周リブ６に対して隙間を介して外側に位置する外周リブ７と、内周リブ６の両端部と外周リブ７の両端部とをそれぞれ一体に連続する両側リブ８とにより囲まれている。ここで、上記補強周リブ１６の一部がそれぞれ内周リブ６、外周リブ７を構成してあり、また、上記放射状リブ１７の一部が側リブ８を構成している。
【００１５】
ケーブル引き出し用凹部９の周方向の一端部の内周リブ６側に片寄った位置にはケーブル引き出し孔５が開口している。そして、図１、図２、図４、図５に示すように、ケーブル引き出し用凹部９の周方向の一端部のケーブル引き出し孔５の内周リブ６と反対側の縁部に沿って中リブ１０を形成してある。この中リブ１０の一端部が両側リブ８のうちケーブル引き出し孔５に近い方の側リブ８に一体に連続しており、また、中リブ１０の他端部が外周リブ７に一体に連続している。中リブ１０のケーブル引き出し孔５に沿った部分と外周リブ７に連続する部分とのなすコーナ部分はガイド部１１となっており、このガイド部１１は図２に示すように鍔部２を外面から見て傾斜した傾斜面又は弧状となった弧状面となっている。
【００１６】
添付図面に示す実施形態においては、鍔部２を外面から見た状態で中リブ１０は略Ｌ字状をしており、この略Ｌ字状をした中リブ１０の一片１０ａがケーブル引き出し孔５の内周リブ６と反対側の縁部に沿って設けてあり、この一片１０ａの一端部が両側リブ８のうちケーブル引き出し孔５に近い方の側リブ８に一体に連続させてある。また、略Ｌ字状の中リブ１０の他片１０ｂがケーブル引き出し孔１０ｂよりも周方向においてやや離れた位置において外周リブ７に一体に連続しており、中リブ１０の一片１０ａと他片１０ｂとのなすコーナ部分であるガイド部１１がケーブル引き出し孔５よりも周方向においてやや離れた位置となるように設けてある。
【００１７】
ケーブル引き出し用凹部９の中リブ１０の無い部分の鍔部２の径方向における巾は中リブ１０を設けた部分における中リブ１０と内周リブ６との鍔部２の径方向における巾よりも広くしてあり、これにより、ケーブル引き出し孔５を必要以上に大きくしなくてもケーブル引き出し用凹部９をケーブル４を引き出すのに十分な巾にでき、ケーブル４をスムーズに引き出すことができるようにしている。
【００１８】
補強周リブ１６の一部により構成される内周リブ６、外周リブ７、放射状リブ１７の一部により構成される側リブ８、中リブ１０は同じ高さ又は略同じ高さとなっている。また、ケーブル引き出し用凹部９の底部には高さの低い底リブ１８が設けてあって、ケーブル引き出し用凹部９の補強を行っている。
【００１９】
両側リブ８のうちケーブル引き出し孔５が位置する側と反対側の側リブ８には突出先端縁部が切欠してあって切欠部１９となっている。この側リブ８の切欠部１９を設けた部分においてケーブル引き出し孔５が位置する側と反対側の側面に図８、図９に示すような突起１２ａが一体に突設してあってこの突起１２ａがケーブル取付け部１２となっている。また、側リブ８の切欠部１９を設けた部分においてケーブル引き出し孔５が位置する側の側面には該側リブ８と直交する補強リブ１３が一体に設けてある。
【００２０】
ケーブル引き出し孔５は図７に示すように、鍔部２に内面及び外面に開口した引き出し溝部２３により形成してあって、この両端が鍔部２の内外に開口した引き出し溝部２３によりケーブル引き出し孔５が構成してある。図７に示すように、ケーブル引き出し孔５を構成する引き出し溝部２３の溝底２３ａは一端部が鍔部２の内面側に位置し且つ他端部が鍔部２の外面部側に位置するように傾斜させてあって引き出し溝部２３の溝深さを外側に行くほど深くしてあり、引き出し溝部２３の溝深さが深い方の端部の鍔部２の外面側に開口した部分がケーブル引き出し孔５の外側開口５ａとなっていてこの外側開口５ａが前述のようにケーブル引き出し用凹部９の周方向の一端部の内周リブ６側に片寄った位置に開口している。また、引き出し溝部２３の溝深さが浅い方の端部が鍔部２の内面部側に開口したケーブル引き出し孔５の内側開口５ｂとなっている。添付図面においてＢは鍔部２の外面部側、Ｃは内面部側を示している。
【００２１】
鍔部２には更に胴部１と両鍔部２とを固定するためのボルト２０が貫通するための複数のボルト孔２１が周方向に間隔をあけて複数個穿孔してあり、鍔部２の内部側には図３、図６に示すように胴部１の端部をはめ込むための嵌め込み溝部２２が形成してあって、この嵌め込み溝部２２に胴部１の端部をはめ込み、ボルト２０を用いて両鍔部２と胴部１とを連結固着する。
【００２２】
ケーブル４をドラム体３に巻装するに当たっては、ケーブル４の巻き始め端部をドラム体３の内部から引き出し溝部２３よりなるケーブル引き出し孔５を通して鍔部２の外面部に設けたケーブル引き出し用凹部９を利用して鍔部２の外面部側に引き出し、両側リブ８のうちケーブル引き出し孔５が位置する側と反対側の側リブ８に設けたケーブル取付け部１２に取付ける。その後、ドラム体３の内部において胴部１にケーブル４を巻き取るものである。
【００２３】
ここで、上記のようにケーブル４の巻き始め端部をケーブル引き出し孔５を介してドラム体３の内部から鍔部２の外面部側に設けた引き出し用凹部９部分に引き出すに当たり、ケーブル引き出し用凹部９の中リブ１０の無い部分の鍔部２の径方向における巾を中リブ１０を設けた部分における中リブ１０と内周リブ６との鍔部２の径方向における巾よりも広くしてあるので、ケーブル引き出し孔５を必要以上に大きくしなくても容易に引き出ことができるものである。また、中リブ１０のケーブル引き出し孔５に沿った部分と外周リブ７に連続する部分とのなすコーナ部分が傾斜面又は弧状面となったガイド部１１となっているので、ケーブル４の引き出しがよりスムーズに行えると共にケーブル４の被覆が損傷することなく引き出すことができるものである。ここで、添付図面に示すように、略Ｌ字状の中リブ１０のコーナ部分であるガイド部１１をケーブル引き出し孔５よりも周方向においてやや離れた位置に配置してあることで、中リブ１０の一片１０ａをガイドとしながらケーブル引き出し孔５から引き出したケーブル４を更にケーブル引き出し孔５より先の傾斜面又は弧状面となったガイド部１１をガイドとしてケーブル引き出し用凹部９の巾広となった部分（鍔部２の径方向において巾広となった部分）にスムーズに引き出すことができることになる。
【００２４】
ケーブル引き出し用凹部９の一端部のケーブル引き出し孔５からケーブル引き出し用凹部９の巾広となった部分に引き出したケーブル４の始端は前述のようにケーブル引き出し孔５が位置する側と反対側の側リブ８に設けたケーブル取付け部１２に取付けるのであるが、この場合、ケーブル４を側リブ８の切欠部１９部分を通すことで、ケーブル４が側リブ８よりも外側に突出しないようにでき、ケーブル４に他の物が当たってケーブル４を損傷することがないものである。また、該側リブ８は補強リブ１３で補強してあるので、ケーブル取付け部１２の強度を向上できてケーブル４の始端の取付けが強固にでき、ケーブル４の始端をケーブル取付け部１２に取付けた後に胴部１にケーブル４を巻き取る際にケーブル４に大きなテンションがかかってもケーブル取付け部１２が変形したり、破損したりしないものである。
【００２５】
また、ケーブル引き出し孔５からケーブル４を引き出すためのケーブル引き出し用凹部９の周囲を内周リブ６と、外周リブ７と、内周リブ６の両端部と外周リブ７の両端部とをそれぞれ一体に連続する両側リブ８とにより囲むことでケーブル引き出し用凹部９の強度を確保することができるものである。そして、ケーブル引き出し用凹部９に設けたケーブル引き出し孔５の縁部は中リブ１０により補強されるものであり、特に、中リブ１０が、一端部を両側リブ８のうちケーブル引き出し孔５に近い方の側リブ８に一体に連続させると共に中リブ１０の他端部を外周リブ７に一体に連続させてあるので、鍔部２の外周側端部から鍔部２の中心方向に向けて外力が作用した場合でも中リブ１０に力が伝わって中リブ１０部分が撓んで該力を吸収してケーブル引き出し孔５の縁部が損傷するのを防止することができることになる。両側リブ８を他の放射状リブ１７より肉厚にすることや外周リブ７を他の補強周リブ１６より肉厚にすることで、ケーブル引き出し孔５の縁部が破損するのをより確実に防止することができる。
【００２６】
なお、上記実施形態では両端が鍔部２の内外に開口した引き出し溝部２３によりケーブル引き出し孔５を構成した例を示したが、この実施形態においてはケーブル引き出し孔５を構成する引き出し溝部２３の溝底２３ａは一端部が鍔部２の内面側に位置し且つ他端部が鍔部２の外面部側に位置するように傾斜させてあって引き出し溝部２３の溝深さを外側に行くほど深くしてあるので、傾斜した溝底２３ａにガイドされてスムーズにケーブル４を引き出すことができるものであるが、ケーブル引き出し孔５としては両端部が鍔部２の内外に開口した添付図面に示す溝形状以外のものであってもよいのはもちろんである。
【００２７】
また、鍔部２の外面部に形成する補強用リブ１５として添付図面に示す実施形態においては、補強周リブ１６と、放射状リブ１７とで構成しているが、他の形態のリブ、例えばトラス形状をしたリブにより構成してもよいものである。
【００２８】
【発明の効果】
上記のように本発明の請求項１記載の発明にあっては、胴部よりもやや外側の鍔部の外面部の周方向の一部に、周囲を胴部に沿った内周リブと、内周リブに対して隙間を介して外側に位置する外周リブと、内周リブの両端部と外周リブの両端部とをそれぞれ一体に連続する両側リブとにより囲まれたケーブル引き出し用凹部を設け、該ケーブル引き出し用凹部の周方向の一端部の内周リブ側に片寄った位置にケーブル引き出し孔を開口し、ケーブル引き出し用凹部の周方向の一端部のケーブル引き出し孔の内周リブと反対側の縁部に沿って中リブを形成し、該中リブの一端部を両側リブのうちケーブル引き出し孔に近い方の側リブに一体に連続させると共に中リブの他端部を外周リブに一体に連続させてあるので、ケーブル引き出し用凹部に設けたケーブル引き出し孔を中リブにより補強することができ、特に、中リブが、一端部を両側リブのうちケーブル引き出し孔に近い方の側リブに一体に連続させると共に中リブの他端部を外周リブに一体に連続させてあるので、鍔部の外周側端部から鍔部の中心方向に向けて外力が作用した場合でも中リブに力が伝わって中リブ部分が撓んで該力を吸収してケーブル引き出し孔の縁部が損傷するのを防止することができて確実にケーブル引き出し孔の縁部の損傷を防止できるものである。しかも、ケーブル引き出し用凹部の中リブの無い部分の鍔部の径方向における巾を中リブを設けた部分における中リブと内周リブとの鍔部の径方向における巾よりも広くしてあるので、ケーブルの巻始め始端をケーブル引き出し孔からケーブル引き出し用凹部に引き出すに当たって、ケーブル引き出し孔を必要以上に大きくしなくてもケーブルの巻き始め始端と手が同時に入る空間を確保して容易に引き出すことができるものであり、また、中リブのケーブル引き出し孔に沿った部分と外周リブに連続する部分とのなすコーナ部分を傾斜面又は弧状面となったガイド部としてあるので、ケーブルの引き出しがよりスムーズに行えると共にケーブルの被覆が損傷することなくよりいっそうスムーズに引き出すことができて、ケーブルの引き出し操作が容易に行えるものである。また、両側リブのうちケーブル引き出し孔が位置する側と反対側の側リブに切欠部を設け、この切欠部を設けた側リブのケーブル引き出し孔が位置する側と反対側の側面にケーブル取付け部を一体に設け、該側リブのケーブル引き出し孔が位置する側の側面に補強リブを一体に設けてあるので、ケーブル引き出し用凹部に引き出したケーブルの始端をケーブル引き出し孔が位置する側と反対側の側リブに設けたケーブル取付け部に取付けることができ、このようにケーブルの始端の引き出し、取付けがケーブル引き出し用凹部部分においてできて、操作性が良く、またケーブルの始端の取付け部分の収まりも良いものであり、しかも、ケーブル引き出し孔からケーブル引き出し用凹部内に引き出したケーブルの始端を、ケーブル引き出し孔が位置する側と反対側に設けたケーブル取付け部に取付けるに当たって、ケーブルを側リブの切欠部を通すことで、ケーブルが外に飛び出して他の物に当たって損傷するのを防止できる。更に、補強リブで補強してあるので、ケーブル取付け部の強度を向上できてケーブルの始端の取付けが強固にでき、ケーブルの始端をケーブル取付け部に取付けた後に胴部にケーブルを巻き取る際にケーブルに大きなテンションがかかっても、側板のケーブル引き出し孔が位置する側と反対側の側面に一体に設けたケーブル取付け部が、側板のケーブル引き出し孔が位置する側の側面に一体に設けた補強リブにより補強されて、ケーブル取付け部が変形したり、破損したりすることがなく、確実にケーブルを巻装できるものである。
【００２９】
また、請求項２記載の発明にあっては、上記請求項１記載の発明の効果に加えて、ケーブル引き出し用凹部の底部に外周リブ、内周リブ、側リブよりも高さの低い縦横の底リブを設けてあるので、ケーブル引き出し用凹部の補強ができる。
【図面の簡単な説明】
【図１】本発明のケーブル巻きドラムを示す斜視図である。
【図２】同上の正面図である。
【図３】同上の断面図である。
【図４】同上のケーブル引き出し用凹部の拡大正面図である。
【図５】同上の鍔部の外面部側から見た斜視図である。
【図６】同上の鍔部の内面部側から見た斜視図である。
【図７】同上のケーブル引き出し孔部分の断面図である。
【図８】同上のケーブル取付け部の断面図である。
【図９】同上の図８に対して直角方向から切断したケーブル取付け部の断面図である。
【図１０】従来例のケーブル巻きドラムの正面図である。
【図１１】他の従来例のケーブル巻きドラムの正面図である。
【符号の説明】
Ａ  ケーブル巻きドラム
１  胴部
２  鍔部
３  ドラム体
４  ケーブル
５  ケーブル引き出し孔
６  内周リブ
７  外周リブ
８  側リブ
９  ケーブル引き出し用凹部
１０  中リブ
１０ａ  一片
１０ｂ  他片
１１  ガイド部
１２  ケーブル取付け部
【図１】
0004047589.tif 000002
【図２】
0004047589.tif 000003
【図３】
0004047589.tif 000004
【図４】
0004047589.tif 000005
【図５】
0004047589.tif 000006
【図６】
0004047589.tif 000007
【図７】
0004047589.tif 000008
【図８】
0004047589.tif 000009
【図９】
0004047589.tif 000010
【図１０】
0004047589.tif 000011
【図１１】
0004047589.tif 000012